(57)【要約】【課題】防水性を確保しつつ、複数の回転動作を実現することができるヒンジモジュールを提供する。【解決手段】ヒンジモジュール１は、第１のケース１０２に装着される第１のブラケット２と第２のケース１０３に装着される第２のブラケット３を有する。ヒンジモジュール１は、第１の回転軸ａｘ１及び第２の回転軸ａｘ２で第１のケース１０２を第２のケース１０３に対し回転させる。ヒンジモジュール１は、各ケース１０２、１０３内に配置された電子部品１０４、１０５を電気的に接続するケーブル４を収納する防水チューブ５を有する。防水チューブ５は、一端部を第１のケース１０２に接続し、他端部を第２のケース１０３に接続する。ヒンジモジュール１は、第１の回転軸ａｘ１と同一軸上で防水チューブ５の一部を収納する第１の軸部材６と、第２の回転軸ａｘ２と同一軸上で防水チューブ５を収納する第２の軸部材７とを有する。【選択図】図１
2010074897.tif 000002
【特許請求の範囲】
【請求項１】
第１のケースと第２ケースとを有する電子機器に搭載され、前記第１のケースに装着される第１のブラケットと前記第２のケースに装着される第２のブラケットとを有し、第１の回転軸で前記第１のケースを前記第２のケースに対し回転させるとともに、該第１の回転軸とは異なる第２の回転軸で前記第１のケースを前記第２のケースに対し回転させるヒンジモジュールであって、
前記第１のケース内に配置された電子部品と、前記第２のケース内に配置された電子部品とを電気的に接続するケーブルを収納するとともに、一端部を前記第１のケースに接続するとともに、他端部を前記第２のケースに接続する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とするヒンジモジュール。
【請求項２】
前記第１の軸部材は、前記第１のブラケットと前記第２のブラケットのいずれか一方に固定され、他方に回転可能に装着されたことを特徴とする請求項１記載のヒンジモジュール。
【請求項３】
前記第２の軸部材は、前記第１のブラケットと前記第２のブラケットのいずれかに装着され、前記第１のブラケットと前記第２のブラケットのいずれかを回転可能とすることを特徴とした請求項１又は２記載のヒンジモジュール。
【請求項４】
前記防水チューブの端部に前記第１のケース又は前記第２のケースへ取り付けられる接続部が設けられたことを特徴とする請求項１乃至３のいずれか一項記載のヒンジモジュール。
【請求項５】
第１のケースと、
第２のケースと、
該第１のケースに対し該第２のケースを第１の回転軸及び該第１の回転軸とは異なる第２の回転軸で回転可能に連結するヒンジモジュールと、
を備え、
該ヒンジモジュールは、前記第１のケースに装着される第１のブラケットと前記第２のケースに装着される第２のブラケットと、前記第１のケース内に配置された電子部品と前記第２のケース内に配置された電子部品とを電気的に接続するケーブルを収納する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とする電子機器。
【請求項６】
前記接続部は、接続部材を有し、当該接続部材は、前記防水チューブが嵌め込まれる筒状部と、前記第１のケース又は前記第２のケースに設けられたケーブル挿入口に嵌め込まれるシール部とを有することを特徴とした請求項５記載の電子機器。
【発明の詳細な説明】
【技術分野】
【０００１】
本発明は、ヒンジモジュール及び電子機器に関する。
【背景技術】
【０００２】
従来、電子機器、例えば、携帯電話機において、表示部を有する第１のケースと、キー入力部を有する第２のケースとをヒンジ部によって回転可能に連結した構成が実用化されている。このような携帯電話は、例えば、前記ヒンジ部を中心に、第１、第２のケースを回転させ、互いに重ね合わせて携帯し、また、第１、第２のケースを回転させて展開し、互いに開いた形で使用するように構成されている。
【０００３】
このような電子機器は、その使用環境に対応すべく防水性を備えていることが望ましく、第１のケースと第２のケースとを連結するヒンジ構造にも、防水性が求められる。
【０００４】
防水性を備えたヒンジ構造として、以下のような構造が知られている。例えば、第１のケースと第２のケースとを回転可能に連結するヒンジ部と、このヒンジ部の内部を通して前記第１のケース内の電子回路と前記第２のケース内の電子回路とを電気的に接続する接続配線と、前記ヒンジ部の内部に配置されて前記接続配線が内部に挿入され、この状態で一端部が前記第１のケースの取付孔にその内部に開放されて密着固定されると共に、他端部が前記第２のケースの取付孔にその内部に開放されて密着固定された防水チューブとを備えたヒンジ構造が知られている（特許文献１参照）。
【０００５】
このようなヒンジ構造は、第１のケースと第２のケースとを回転可能に連結するヒンジ部の内部に接続配線を挿入する際、この接続配線が挿入される防水チューブの一端部が第１のケースの取付孔に密着固定される。また、この防水チューブの他端部が第２のケースの取付孔に密着固定される。これにより、ヒンジ部内に水が侵入しても、防水チューブによって第１、第２のケース内への水の侵入が防がれ、これにより防水性が確保されるとしている。
【０００６】
【特許文献１】特開２００５−３２５８４９号公報
【発明の開示】
【発明が解決しようとする課題】
【０００７】
ところで、近時の電子機器には、第１のケースと第２のケースとの位置関係が多様に変化するものが登場している。第１のケースと第２のケースとの位置関係を多様に変化させる場合、回転軸の数が増加する。
【０００８】
しかしながら、前記従来のヒンジ構造は、一の回転軸しか設定されておらず、一種類の回転動作しか実現することができない。また、前記従来のヒンジ構造では、第１のケースに設けられた防水チューブの取付孔と第２のケースに設けられた防水チューブの取付孔を、第１のケース、第２のケースの幅方向にずらして設けている。このため、例えば、第１のケースを第２のケースに対して回転させる回転軸を設定しようとすると、最低でも取付孔をずらした距離分の回転半径が設定されることになり、装置の小型化には不利である。
これらの理由により、前記従来のヒンジ構造は、第１のケース、第２のケースを回転させて互いに重ね合わせ、又は、展開して互いに開いた形態とする回転動作以外の動作をする電子機器に適用することは困難であった。
【０００９】
本発明は、上記問題に鑑みてなされたものであり、その目的は、防水性を確保しつつ、複数の回転動作を実現することができるヒンジモジュールを提供することにある。
【課題を解決するための手段】
【００１０】
上記課題を解決するために、本明細書開示のヒンジモジュールは、第１のケースと第２ケースとを有する電子機器に搭載され、前記第１のケースに装着される第１のブラケットと前記第２のケースに装着される第２のブラケットとを有し、第１の回転軸で前記第１のケースを前記第２のケースに対し回転させるとともに、該第１の回転軸とは異なる第２の回転軸で前記第１のケースを前記第２のケースに対し回転させるヒンジモジュールであって、前記第１のケース内に配置された電子部品と、前記第２のケース内に配置された電子部品とを電気的に接続するケーブルを収納するとともに、一端部を前記第１のケースに接続するとともに、他端部を前記第２のケースに接続する防水チューブと、前記第１の回転軸と同一軸上で前記防水チューブの一部を収納する第１の軸部材と、前記第２の回転軸と同一軸上で前記防水チューブの当該一部を除く他の部分を収納する第２の軸部材と、を有することを特徴とする。
【００１１】
このようなヒンジモジュールとすることにより、防水性を確保しつつ、複数の回転動作が実現される。
【００１２】
すなわち、防水チューブ内にケーブルを収納し、防水チューブによってケーブルを覆うことにより、ケーブルが水分に曝されることを抑制することができる。これにより、水分がケーブルを伝わって第１のケース内及び第２のケース内に浸入することを抑制することができる。
【００１３】
また、第１の軸部材、第２の軸部材を備えることにより、複数の回転動作が実現される。このとき、第１の軸部材が第１の回転軸と同一軸上で防水チューブを収納し、第２の軸部材が第２の回転軸と同一軸上で防水チューブを収納することによって防水チューブが保護され、その破損が抑制される。これにより、防水性が維持される。
【発明の効果】
【００１４】
本明細書開示のヒンジモジュールは、防水性を確保しつつ、複数の回転動作を実現することができる。
【発明を実施するための最良の形態】
【００１５】
以下、本発明の最良の実施形態について、添付図面を参照しつつ説明する。ただし、図面中、各部の寸法、比率等は、実際のものと完全に一致するようには図示されていない場合がある。また、図面によっては細部が省略されている場合もある。
【実施例】
【００１６】
図１は、ヒンジモジュール１の正面図である。図２は、防水チューブ５を省略したヒンジモジュール１の６面図である。図２（Ａ）は正面図、図２（Ｂ）は右側面図、図２（Ｃ）は左側面図、図２（Ｄ）は平面図、図２（Ｅ）は底面図、図２（Ｆ）は背面図である。
また、図３は、ヒンジモジュール１を分解した状態を示す説明図である。図４は、第１のブラケット２が第２のブラケット３に対し、第１の回転軸ａｘ１で回転する様子を示す説明図である。図５及び図６は、第２の回転軸ａｘ２で第２のブラケット３が回転する様子を示す説明図である。図７及び図８は、携帯電話機１０１に搭載したヒンジモジュール１の周辺を模式的に示した説明図である。また、図９及び図１０は、ヒンジモジュール１を搭載した携帯電話機１０１の外観図である。
【００１７】
まず、ヒンジモジュール１の概略構成について説明し、次いで、ヒンジモジュール１の各部を詳細に説明する。
ヒンジモジュール１は、電子機器の一例である携帯電話機１０１に搭載される。携帯電話機１０１は、図７乃至図１０に示すように第１のケース１０２と第２のケース１０３とを有している。
【００１８】
ヒンジモジュール１は、防水性を有する第１のケース１０２に装着される第１のブラケット２と同じく防水性を有する第２のケース１０３に装着される第２のブラケット３を有している。また、ヒンジモジュール１は、第１のケース１０２内に配置された電子部品１０４と、第２のケース１０３内に配置された電子部品１０５とを電気的に接続するケーブル４を収納するシリコン製の防水チューブ５を有している。なお、防水チューブ５は、防水性を確保することができる材質を有するものであれば、他の素材を採用することもできる。防水チューブ５は柔軟性を有していることが好ましい。
【００１９】
防水チューブ５の一端部５ａは、第１のケース１０２に接続され、他端部５ｂは第２のケース１０３に接続される。これにより、携帯電話機１０１の防水性が維持される。
【００２０】
ヒンジモジュール１は、携帯電話機１０１に搭載されたときに、図９及び図１０に示すように第１の回転軸ａｘ１で第１のケース１０２を第２のケース１０３に対し回転させることができる。また、第２の回転軸ａｘ２で第１のケース１０２を第２のケース１０３に対し回転させることができる。ここで、回転には、正回転と逆回転が含まれる。
【００２１】
ヒンジモジュール１は、第１の回転軸ａｘ１と同一軸上で防水チューブ５を収納する第１の軸部材６を有している。この第１の軸部材６は、第１の回転軸ａｘ１で第１のブラケット２を第２のブラケット３に対し回転させる。ヒンジモジュール１は、また、第２の回転軸ａｘ２と同一軸上で防水チューブ５を収納する第２の軸部材７を有している。この第２の軸部材７は、第２の回転軸ａｘ２で第２のブラケット３を第１のブラケット２とともに回転させる。ヒンジモジュール１は、さらに、第２の回転軸ａｘ２で第２のブラケット３を回転させる第３の軸部材８を有している。
【００２２】
第１のブラケット２は、第１の軸部材６が装着される装着孔２ａ１が穿設された板状のセンター部２ａを有している。また、第１のケース１０２に取り付けるためのネジ孔２ｂ１が穿設された板状の取付部２ｂを有している。取付部２ｂは、センター部２ａの両側に鍔状に張り出すように連設されている。装着孔２ａ１は、第１のブラケット２の中心部に位置している。センター部２ａの平滑面と取付部２ｂの平滑面とは９０°の角度を有している。
【００２３】
第２のブラケット３は、図３に示すように正面視においてコ字状をなすように、板状のセンター部３ａを有するとともに、その両側に連設された側板３ｂ、３ｃを有している。センター部３ａには、第１の軸部材６が回転可能に装着される装着孔３ａ１が穿設されている。側板３ｂには第２の軸部材７を装着する装着孔３ｂ１が設けられている。側板３ｃには、第３の軸部材８が装着される装着孔３ｃ１が設けられている。
【００２４】
第１の軸部材６は、図３に示すように一端側が第１のブラケット２のセンター部２ａに設けられた装着孔２ａ１に嵌め込まれ、カシメられることによって第１のブラケット２に固定される。そして、他端側が第２のブラケット３に回転可能に装着される。これにより、第１のブラケット２は、第２のブラケット３に対し、第１の回転軸ａｘ１で回転可能となる。なお、第１の軸部材６は、第２のブラケット３に固定され、第１のブラケット２に回転可能に装着することもできる。
【００２５】
第１の軸部材６は、中空の筒状体であり、内部に防水チューブ５の一部を収納する。第１の軸部材６内に収納された防水チューブ５は、第１の軸部材６に保護されるため、破損のおそれが低減される。また、第１の軸部材６の中心軸は、第１の回転軸ａｘ１と一致させられている。防水チューブ５は、このような第１の回転軸ａｘ１と同一軸上で第１の軸部材６に収納されている。このため、第１のブラケット２が回転しても、防水チューブ５は捩じられることがない。この点においても、防水チューブ５の破損のおそれが低減されている。
【００２６】
第２の軸部材７は、第２のブラケット３が有する側板３ｂに設けられた装着孔３ｂ１に装着され、第２のブラケット３を回転可能とする。第２の軸部材７の側方には、第２のブラケット３を第２のケース１０３に取り付けるための取付部９が設けられている。取付部９にはネジ孔９ａが設けられている。なお、第２の軸部材７は、第１のブラケット２に装着して第１のブラケット２を回転可能な状態とすることもできる。
【００２７】
第２の軸部材７は、中空の筒状体であり、内部に防水チューブ５の一部を収納する。なお、第２の軸部材７に収納されるのは第１の軸部材６に収納される部分とは異なる部分である。
第２の軸部材７内に収納された防水チューブ５は、第２の軸部材７に保護されるため、破損のおそれが低減される。また、第２の軸部材７の中心軸は、第２の回転軸ａｘ２と一致させられている。防水チューブ５は、このような第２の回転軸ａｘ２と同一軸上で第２の軸部材７に収納されている。このため、第２のブラケット３が回転しても、防水チューブ５は捩じられることがない。この点でも、防水チューブ５の破損のおそれが低減されている。
【００２８】
第２のブラケット３には、第３の軸部材８が設けられている。第３の軸部材８は、第２のブラケット３が有する側板３ｃに設けられた装着孔３ｃ１に装着され、第２のブラケット３を回転可能とする。第３の軸部材８の側方には、第２のブラケット３を第２のケース１０３に取り付けるための取付部１０が設けられている。取付部１０にはネジ孔１０ａが設けられている。第２のブラケット３は、取付部９と取付部１０とによって第２のケース１０３に安定して取り付けられ、第２の回転軸ａｘ２での安定した回転を実現することができる。
【００２９】
防水チューブ５の一端側には第１のケース１０２への接続部５ａが設けられ、他端側には第２のケース１０３への接続部５ｂが設けられている。図１１は、接続部５ａの周辺を拡大して示した説明図である。接続部５ａは、防水チューブ５の先端に接続部材１１を装着することによって設けられている。図１２は、接続部材１１の３面図であり、図１２（Ａ）は正面図、図１２（Ｂ）は平面図、図１２（Ｃ）は底面図である。接続部材１１はプラスチック製の本体部１２と、この本体部１２に装着されたゴム製のＯリング１３を有している。
接続部材１１は、防水チューブ５の先端が被せられて嵌め込まれる筒状部１１ａを有している。また、第１のケース１０２に設けられたケーブル挿入口１０２ｃに嵌め込まれるシール部１１ｂを有している。図１３は、接続部５ａが第１のケース１０２に設けられたケーブル挿入口１０２ａに接続される様子を示した模式図である。接続部５ａは、シール部１１ｂがケーブル挿入口１０２ａに嵌め込まれることによって第１のケース１０２に接続される。
【００３０】
筒状部１１ａは、先端部１１ａ１と基端部１１ａ２とで異なる直径を有している。すなわち、先端部１１ａ１の直径と比較して基端部１１ａ２の直径は拡大されている。このように先端部１１ａ１の直径を細くすることにより防水チューブ５の接続を容易にし、基端部１１ｂ２の直径を拡大することにより防水チューブ５の強固な接続状体を実現することができる。
【００３１】
シール部１１ｂは、本体部１２に設けられた溝部１２ａにゴム製のＯリング１３を嵌め込むことによって設けられている。なお、Ｏリング１３の素材はゴム製に限定されるものでなく、シール性を確保することができる他の素材であってもよい。また、Ｏリング１３の装着に代えて、溝部１２ａに相当する位置に周状に凸部を設け、この凸部をケーブル挿入口１０２ｃに嵌め込む構成とすることもできる。
【００３２】
接続部５ｂにも接続部５ａと同様の接続部材１１が装着される。そして、第２のケース１０３に設けたケーブル挿入口１０３ｃに嵌め込まれる。接続部５ｂの第２のケース１０３への接続は、接続部５ａの第１のケース１０２への接続と共通するので、その詳細な説明は省略する。
【００３３】
このように、本実施例のヒンジモジュール１は、ケース１０２、１０３内に配置された電子部品１０４、１０５に電気的に接続されるケーブル４を収納する防水チューブ５を備える。そして、防水チューブ５に設けられた接続部材１１を有するケーブルの防水接続構造を備えている。
【００３４】
以上のようなヒンジモジュール１において、第１の軸部材６と第２の軸部材７とは第１に回転軸ａｘ１と第２の回転軸ａｘ２とが直交するように配置されている。このようなヒンジモジュール１は、図４に示すように、第１の回転軸ａｘ１で第１のブラケット２を第２のブラケット３に対して回転させることができる。この回転動作は、第１のブラケット２が第２のブラケット３に対してあたかも首を振るような回転動作である。ヒンジモジュール１は、図５及び図６に示すように第２の回転軸ａｘ２で第１のブラケット２を第２のブラケット３に対し回転させることができる。この回転動作は、第１のブラケット２が第２のブラケット３に対してあたかも折れ曲がるような回転動作である。
【００３５】
このようなヒンジモジュール１は、第１のケース１０２と第２のケース１０３との結合に用いられる。
【００３６】
第１のケース１０２は、携帯電話機１０１の情報表示部を形成するもので、液晶表示面１０２ａを有している。第１のケース１０２は、液晶表示面１０２ａの背面側にカバー面１０２ｂを有している。そして、ケース自体に防水加工が施されている。そして、第１のケース１０２の内部には、電子部品１０４が配置されている。また、第１のケース１０２は、ケーブル挿入口１０２ｃを有しており、このケーブル挿入口１０２ｃから内部にケーブル４が引き込まれている。この際、ケーブル４は、防水チューブ５内に収納され、前記のようにケーブル挿入口１０２ｃにシール部１１ｂが嵌め込まれ、防水性が確保されている。ケーブル挿入口１０２ｃから第１のケース１０２内に引き込まれたケーブル４は、その先端に設けられたコネクタ４ａを介して電子部品１０４に接続されている。
【００３７】
このような第１のケース１０２には、ヒンジモジュール１が有する第１のブラケット２が取り付けられる。第１のブラケット２の第１のケース１０２への取り付けは、取付部２ｂを介して行われる。
【００３８】
第２のケース１０３は、携帯電話機１０１の主要な操作を行うため操作部を形成するもので、各種操作ボタンが配置された操作ボタン面１０３ａを有している。第２のケース１０３は、ケース自体に防水加工が施されている。そして、第２のケース１０３の内部には、電子部品１０５が配置されている。また、第２のケース１０３は、ケーブル挿入口１０３ｃを有しており、このケーブル挿入口１０３ｃから内部にケーブル４が引き込まれている。この際、ケーブル４は、防水チューブ５内に収納され、前記のようにケーブル挿入口１０３ｃにシール部１１ｂが嵌め込まれ、防水性が確保されている。ケーブル挿入口１０３ｃから第２のケース１０３内に引き込まれたケーブル４は、その先端に設けられたコネクタ４ｂを介して電子部品１０５に接続されている。
【００３９】
このような第２のケース１０３には、ヒンジモジュール１が有する第２のブラケット３が取り付けられる。第２のブラケット３の第２のケース１０３への取り付けは、取付部９及び１０を介して行われる。
【００４０】
以上のようにヒンジモジュール１を介して第１のケース２と第２のケース３とが結合された携帯電話機１０１は、図９及び図１０に示すように複数の回転動作を実現している。すなわち、図中、矢示３１で示すように第１の回転軸ａｘ１で第１のケース１０２を第２のケース１０３に対して回転させることができる。この回転動作により、第１のケース１０２は、図９に示す液晶表示面１０２ａが操作ボタン面１０３ａと同じ側を向いた状態から、図１０に示すカバー面１０２ｂが操作ボタン面１０３ａと同じ側を向いた状態とすることができる。
【００４１】
また、携帯電話機１０１は、図中、矢示３２で示すように第２の回転軸ａｘ２で第１のケース１０２を第２のケース１０３に対して回転させることができる。この回転動作により、第１のケース１０２と第２のケース１０３とを開いた状態、すなわち、第２のケース１０３が有する操作ボタン面１０３ａが現れるように展開された状態とすることができる。また、第１のケース１０２と第２のケース１０３とが重ね合わされた状態とすることができる。このとき、第１の回転軸ａｘ１での回転動作を組み合わせることにより、液晶表示面１０２ａが外側に露出すように第１のケース１０２を重ね合わせたり、カバー面１０２ｂが外側にくるように重ね合わせたりすることができる。
【００４２】
携帯電話機１０１は、このような単独の、又は、複合的な回転動作をする場合であっても、ケーブル４は、防水チューブ５内に収納されているので、ケーブル４を伝わって各ケース内に水分が流入することを抑制することができる。防水チューブ５は、第１の軸部材６内、第２の軸部材７内に収納されているので、回転動作中のストレスが緩和されており、破損のおそれが軽減されている。
【００４３】
また、第１のケース１０２、第２のケース１０３への防水チューブ５の装着に接続部材１１が用いられたことにより、防水性が確保されている。なお、接続部材１１が採用されたことにより、防水チューブ５の装着作業が容易となっている。すなわち、防水チューブ５の装着作業時に、接続部材１１を摘むことができるのでその装着作業が容易となる。ただし、接続部材１１を用いることなく防水チューブ５を第１のケース１０２、第２のケース１０３へ装着することもできる。すなわち、図１４に示すように、第１のケース１０２側に筒状部１０２ｃ１を設け、この筒状部１０２ｃ１に防水チューブ５の先端部を被冠させるように差し込むことによって装着することもできる。このように接続部材１１を用いることなく防水チューブ５の接続を行うこともできる。
【００４４】
以上のように、本実施例のヒンジモジュール１を用いることにより、携帯電話機１０１の防水性を確保し、維持することができる。
【００４５】
また、本実施例のヒンジモジュール１を用いることにより、さらに、以下のような効果を得ることができる。
すなわち、防水性維持と同時に防塵性も確保することができる。
また、ヒンジをモジュール化することにより、組立性の向上を図ることができる。モジュール化する際にケーブル４をモジュールに含めることにより携帯電話機１０１のさらなる組立性の向上が図られる。さらにケーブル４自体が防水チューブ５内に収納された形で第１の軸部材６、第２の軸部材７内に収納される。このため、ケーブル４の通過経路が安定して確保され、ケーブル４はむやみに捩じられたり、圧縮されたりすることがないので安定した信号特性を得ることができる。
また、ケーブル４は第１の回転軸ａｘ１、第２の回転軸ａｘ２と同一軸上で防水チューブ５に収納されることになる。このため、ケーブル４がヒンジモジュール１の第１の回転軸ａｘ１での回転、第２の回転軸ａｘ２での回転を阻害することがなく、ヒンジモジュール１の小型化、ひいては、電子機器の小型化を図ることができる。
【００４６】
以上本発明の好ましい実施例について詳述したが、本発明は係る特定の実施例に限定されるものではなく、特許請求の範囲に記載された本発明の要旨の範囲内において、種々の変形、変更が可能である。例えば、上記実施例では、電子機器の一例として、携帯電話機の例について説明したが、第１のケースと第２のケースを有する他の携帯端末装置に本明細書開示のヒンジモジュールを適用することができる。
【００４７】
（付記）
（付記１）  第１のケースと第２ケースとを有する電子機器に搭載され、前記第１のケースに装着される第１のブラケットと前記第２のケースに装着される第２のブラケットとを有し、第１の回転軸で前記第１のケースを前記第２のケースに対し回転させるとともに、該第１の回転軸とは異なる第２の回転軸で前記第１のケースを前記第２のケースに対し回転させるヒンジモジュールであって、
前記第１のケース内に配置された電子部品と、前記第２のケース内に配置された電子部品とを電気的に接続するケーブルを収納するとともに、一端部を前記第１のケースに接続するとともに、他端部を前記第２のケースに接続する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とするヒンジモジュール。
【００４８】
（付記２）  前記第１の軸部材は、前記第１のブラケットと前記第２のブラケットのいずれか一方に固定され、他方に回転可能に装着されたことを特徴とする付記１記載のヒンジモジュール。
【００４９】
（付記３）  前記第２の軸部材は、前記第１のブラケットと前記第２のブラケットのいずれかに装着され、前記第１のブラケットと前記第２のブラケットのいずれかを回転可能とすることを特徴とした付記１又は２記載のヒンジモジュール。
【００５０】
（付記４）  前記防水チューブの端部に前記第１のケース又は前記第２のケースへ取り付けられる接続部が設けられたことを特徴とする付記１乃至３のいずれかに記載のヒンジモジュール。
【００５１】
（付記５）  前記接続部は、接続部材を有し、当該接続部材は、前記防水チューブが嵌め込まれる筒状部と、前記第１のケース又は前記第２のケースに設けられたケーブル挿入口に嵌め込まれるシール部とを有することを特徴とした付記４記載のヒンジモジュール。
【００５２】
（付記６）  前記第１の軸部材と、前記第２の軸部材とは、前記第１の回転軸と前記第２の回転軸とが直交するように配置されたことを特徴とする付記１乃至５のいずれかに記載のヒンジモジュール。
【００５３】
（付記７）  第１のケースと、
第２のケースと、
該第１のケースに対し該第２のケースを第１の回転軸及び該第１の回転軸とは異なる第２の回転軸で回転可能に連結するヒンジモジュールと、
を備え、
該ヒンジモジュールは、前記第１のケースに装着される第１のブラケットと前記第２のケースに装着される第２のブラケットと、前記第１のケース内に配置された電子部品と前記第２のケース内に配置された電子部品とを電気的に接続するケーブルを収納する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とする電子機器。
【００５４】
（付記８）  前記接続部は、接続部材を有し、当該接続部材は、前記防水チューブが嵌め込まれる筒状部と、前記第１のケース又は前記第２のケースに設けられたケーブル挿入口に嵌め込まれるシール部とを有することを特徴とした付記７記載の電子機器。
【図面の簡単な説明】
【００５５】
【図１】図１は、ヒンジモジュールの正面図である。
【図２】図２は、ヒンジモジュールの６面図であり、図２（Ａ）は正面図、図２（Ｂ）は右側面図、図２（Ｃ）は左側面図、図２（Ｄ）は平面図、図２（Ｅ）は底面図、図２（Ｆ）は背面図である。
【図３】図３は、ヒンジモジュールを分解した状態を示す説明図である。
【図４】図４は、第１のブラケットが第２のブラケットに対し、第１の回転軸ａｘ１で回転する様子を示す説明図である。
【図５】図５は、第２の回転軸ａｘ２で第２のブラケットが回転する様子を示す説明図である。
【図６】図６は、同じく第２の回転軸ａｘ２で第２のブラケットが回転する様子を示す説明図である。
【図７】図７は、携帯電話機に搭載したヒンジモジュールの周辺を模式的に示した説明図である。
【図８】図８は、同じく携帯電話機に搭載したヒンジモジュールの周辺を模式的に示した説明図である。
【図９】図９は、ヒンジモジュールを搭載した携帯電話機の外観図である。
【図１０】図１０は、同じくヒンジモジュールを搭載した携帯電話機の外観図である。
【図１１】図１１は、防水チューブの接続部の周辺を拡大して示した説明図である。
【図１２】図１２は、接続部材の３面図であり、図１２（Ａ）は正面図、図１２（Ｂ）は平面図、図１２（Ｃ）は底面図である。
【図１３】図１３は、防水チューブの接続部が第１のケースに設けられたケーブル挿入口に接続される様子を示した模式図である。
【図１４】第１のケース側に設けた筒状部に防水チューブを差し込み、防水チューブを第１のケースに防水チューブを接続する例を示模式図である。
【符号の説明】
【００５６】
１…ヒンジモジュール                        ２…第１のブラケット
２ｂ，９，１０…取付部                      ３…第２のブラケット
４…ケーブル                                ５…防水チューブ
６…第１の軸部材                            ７…第２の軸部材
８…第３の軸部材                            １１…接続部材
１１ａ…筒状部                              １１ｂ…シール部
１０１…携帯電話機                          １０２…第１のケース
１０２…第２のケース                        １０４，１０５…電子部品
【図１】
2010074897.tif 000003
【図２】
2010074897.tif 000004
【図３】
2010074897.tif 000005
【図４】
2010074897.tif 000006
【図５】
2010074897.tif 000007
【図６】
2010074897.tif 000008
【図７】
2010074897.tif 000009
【図８】
2010074897.tif 000010
【図９】
2010074897.tif 000011
【図１０】
2010074897.tif 000012
【図１１】
2010074897.tif 000013
【図１２】
2010074897.tif 000014
【図１３】
2010074897.tif 000015
【図１４】
2010074897.tif 000016
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
第１のケースと第２ケースとを有する電子機器に搭載され、前記第１のケースに装着される第１のブラケットと前記第２のケースに装着される第２のブラケットとを有し、第１の回転軸で前記第１のケースを前記第２のケースに対し回転させるとともに、該第１の回転軸とは異なる第２の回転軸で前記第１のケースを前記第２のケースに対し回転させるヒンジモジュールであって、
前記第１のケース内に配置された電子部品と、前記第２のケース内に配置された電子部品とを電気的に接続するケーブルを収納するとともに、一端部を前記第１のケースに接続するとともに、他端部を前記第２のケースに接続する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とするヒンジモジュール。
【請求項２】
前記第１の軸部材は、前記第１のブラケットと前記第２のブラケットのいずれか一方に固定され、他方に回転可能に装着されたことを特徴とする請求項１記載のヒンジモジュール。
【請求項３】
前記第２の軸部材は、前記第１のブラケットと前記第２のブラケットのいずれかに装着され、前記第１のブラケットと前記第２のブラケットのいずれかを回転可能とすることを特徴とした請求項１又は２記載のヒンジモジュール。
【請求項４】
前記防水チューブの端部に前記第１のケース又は前記第２のケースへ取り付けられる接続部が設けられたことを特徴とする請求項１乃至３のいずれか一項記載のヒンジモジュール。
【請求項５】
第１のケースと、
第２のケースと、
該第１のケースに対し該第２のケースを第１の回転軸及び該第１の回転軸とは異なる第２の回転軸で回転可能に連結するヒンジモジュールと、
を備え、
該ヒンジモジュールは、前記第１のケースに装着される第１のブラケットと前記第２のケースに装着される第２のブラケットと、前記第１のケース内に配置された電子部品と前記第２のケース内に配置された電子部品とを電気的に接続するケーブルを収納する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
を有することを特徴とする電子機器。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
第１のケースと第２ケースとを有する電子機器に搭載され、前記第１のケースに装着される第１のブラケットと前記第２のケースに装着される第２のブラケットとを有し、第１の回転軸で前記第１のケースを前記第２のケースに対し回転させるとともに、該第１の回転軸とは異なる第２の回転軸で前記第１のケースを前記第２のケースに対し回転させるヒンジモジュールであって、
前記第１のケース内に配置された電子部品と、前記第２のケース内に配置された電子部品とを電気的に接続するケーブルを収納するとともに、一端部を前記第１のケースに接続するとともに、他端部を前記第２のケースに接続する防水チューブと、
前記第１の回転軸と同一軸上で前記防水チューブの一部を収納する第１の軸部材と、
前記第２の回転軸と同一軸上で前記防水チューブの当該一部を除く他の部分を収納する第２の軸部材と、
前記防水チューブの端部に前記第１のケース又は前記第２のケースへ取り付けられる接続部と、を有し、
前記接続部は、接続部材を有し、当該接続部材は、前記防水チューブが嵌め込まれる筒状部と、前記第１のケース又は前記第２のケースに設けられたケーブル挿入口に嵌め込まれるシール部とを有することを特徴としたヒンジモジュール。
【請求項２】
前記第１の軸部材は、前記第１のブラケットと前記第２のブラケットのいずれか一方に固定され、他方に回転可能に装着されたことを特徴とする請求項１記載のヒンジモジュール。
【請求項３】
前記第２の軸部材は、前記第１のブラケットと前記第２のブラケットのいずれかに装着され、前記第１のブラケットと前記第２のブラケットのいずれかを回転可能とすることを特徴とした請求項１又は２記載のヒンジモジュール。
【請求項４】
前記第１の軸部材と、前記第２の軸部材とは、前記第１の回転軸と前記第２の回転軸とが直交するように配置されたことを特徴とする請求項１乃至３のいずれか一項に記載のヒンジモジュール。